【手続補正書】
【提出日】平成16年12月20日(2004.12.20)
【手続補正１】
【補正対象書類名】明細書
【補正対象項目名】請求項１
【補正方法】変更
【補正の内容】
【請求項１】
−２０℃〜＋１１０℃の温度範囲で不安定であるラジカル形成系の助けにより、ラジカル的に硬化可能な樹脂組成物、但し該ラジカル的に硬化可能な樹脂組成物は、（ｉ）１以上のビニルエーテル基を有する樹脂状成分、及び（ｉｉ）溶媒としての１以上の反応性モノマーを少なくとも含む、を硬化させることにより得られ得る、少なくとも１ｍｍの厚さの硬化された部品又は硬化された構造要素において、硬化可能な樹脂状組成物中の１以上のビニルエーテル基を含む樹脂状成分が、
ａ）少なくとも１の水酸基及び少なくとも１のビニルエーテル基を含む第１化合
物（ＨＶＥ-化合物）、
ｂ）１以上のウレタン基の生成を伴って反応するジイソシアネート（又はより高
次のイソシアネート）である第２化合物（Ｄ／ＨＩＣ‐化合物）、及び
ｃ）（１）Ｃ2〜6のグリコール、（２）２〜５の水酸基を有するＣ5〜20のポリ
オール、及び（３）アルキド樹脂ではなく、１〜５の遊離の水酸基及び２〜
５０のモノマー状エステル単位を有する、飽和又は（エチレン性）不飽和の
、水酸基末端のポリエステル化合物の群から選択される第３化合物（Ｇ／Ｐ
／ＨＰ−化合物）又はその混合物、
の適当量の混合物の反応により得られる樹脂であり、
前記樹脂組成物におけるビニルエーテル基の含有量が、樹脂組成物の合計重量（添加剤、フィラーなどの重量を除く）に対するＨＶＥ−化合物の重量百分率として計算されて、０．５〜５０重量％であり、
反応性モノマーを有するラジカル的に硬化可能な樹脂組成物の合計酸価が１０ｍｇＫＯＨ／ｇより低いことを特徴とする、硬化された部品又は硬化された構造要素。
【手続補正２】
【補正対象書類名】明細書
【補正対象項目名】請求項２
【補正方法】変更
【補正の内容】
【請求項２】
該樹脂組成物におけるビニルエーテル基の含有量が１０〜３５重量％であることを特徴とする、請求項１に記載の硬化された部品又は硬化された構造要素。
【手続補正３】
【補正対象書類名】明細書
【補正対象項目名】請求項３
【補正方法】変更
【補正の内容】
【請求項３】
ＨＶＥ−化合物が、式（I）に従う一般構造を有するビニルエーテルモノマー、又はそのようなビニルモノマーの混合物である、
(Ａ−ＣＨ＝ＣＨ−Ｏ)n−Ｒ          （I）
ここで
Ａは、水素、又は１〜３のＣ原子のアルキル基を表し、ここで、もし１より多い
Ａがあるならば、個々のＡ基は同じであるか又は異なっていてもよく、
Ｒは、分岐状であってもよい、２〜２０のＣ原子を有する脂肪族基を表し、該脂
肪族基はシクロヘキシル又は１，４-ジメチレンシクロヘキシル基及び、
炭素鎖中に、１以上のＯ及び/又はＳ原子をもまた含んでもよく、ビニル
エーテル基から少なくとも２Ｃ原子離れた１又は複数の場所において少
なくとも１の水酸基で置換されており、１〜３のＣ原子を有する１又は２
のアルキル基で置換されてもよい１以上のアミノ基でさらに置換されて
いてもよい、
又は、２〜１２０のグリコール単位の平均鎖長を有するポリエチレングリ
コール又はポリプロピレングリコールを表し、
ｎは１，２，３、又は４である、
ことを特徴とする、請求項１〜２のいずれか１項に記載の硬化された部品又は硬化さ
れた構造要素。
【手続補正４】
【補正対象書類名】明細書
【補正対象項目名】請求項４
【補正方法】変更
【補正の内容】
【請求項４】
ＨＶＥ−化合物が、少なくとも１の遊離の水酸基を有するモノ-及び／又はジビニルエーテルモノマーであることを特徴とする、請求項３に記載の硬化された部品又は硬化された構造要素。
【手続補正５】
【補正対象書類名】明細書
【補正対象項目名】請求項５
【補正方法】変更
【補正の内容】
【請求項５】
ＨＶＥ−化合物がヒドロキシブチルビニルエーテルであることを特徴とする、請求項４に記載の硬化された部品又は硬化された構造要素。
【手続補正６】
【補正対象書類名】明細書
【補正対象項目名】請求項６
【補正方法】変更
【補正の内容】
【請求項６】１以上のビニル基を有する樹脂状成分が、第１化合物がＨＶＥ−化合物とヒドロキシル(メタ)アクリレート（ＨＡ）化合物との混合物により生成されるところの反応混合物から得られることを特徴とする、請求項１〜５のいずれか１項に記載の硬化された部品又は硬化された構造要素。
【手続補正７】
【補正対象書類名】明細書
【補正対象項目名】請求項７
【補正方法】変更
【補正の内容】
【請求項７】
樹脂組成物が、１以上のビニルエーテル基を有する樹脂状成分におけるＨＶＥ−化合物の量を別として、ビニルエーテルモノマーをもまた反応性モノマーとして含むこと、及びビニルエーテル化合物の合計含有量（ＨＶＥ−化合物プラス反応性モノマー）が、合計樹脂組成物の重量に対して５〜６０重量％であることを特徴とする、請求項１〜６のいずれか１項に記載の硬化された部品又は硬化された構造要素。
【手続補正８】
【補正対象書類名】明細書
【補正対象項目名】請求項８
【補正方法】変更
【補正の内容】
【請求項８】
樹脂組成物が、不飽和ポリエステル樹脂又はビニルエステル樹脂又はビニルエステルウレタン樹脂、又はそれらの混合物とさらに混合されることを特徴とする、請求項１〜７のいずれか１項に記載の硬化された部品又は硬化された構造要素。
【手続補正９】
【補正対象書類名】明細書
【補正対象項目名】請求項９
【補正方法】変更
【補正の内容】
【請求項９】
−２０℃〜＋１１０℃の温度範囲で不安定であるラジカル形成系の助けにより、少なくとも１ｍｍの厚さの硬化された部品又は硬化された構造要素へと硬化されるラジカル的に硬化可能な樹脂組成物、但し該組成物が、少なくとも（ｉ）１以上のビニルエーテル基を有する樹脂状成分及び（ｉｉ）１以上の他の反応性モノマーを含む、の製造方法において、
Ａ．
（ａ）少なくとも１の水酸基及び少なくとも１のビニルエーテル基を含む第１化
合物（ＨＶＥ-化合物）、及び
（ｂ）１以上のウレタン基の生成を伴って反応するジイソシアネート（又はより
高次のイソシアネート）である第２化合物（Ｄ／ＨＩＣ‐化合物）、及び
（ｃ）（１）Ｃ2〜6のグリコール、（２）２〜５の水酸基を有するＣ5〜20のポ
リオール、及び（３）アルキド樹脂ではなく、１〜５の遊離の水酸基及び
２〜５０のモノマー状エステル単位を有する、飽和又は（エチレン性）不
飽和の、水酸基末端のポリエステル化合物の群から選択される第３化合物
（Ｇ／Ｐ／ＨＰ−化合物）又はその混合物、
の適当な量が混合物としてまず反応され、
それによって、１以上のビニルエーテル基及び少なくとも２のウレタン基
を有する樹脂状成分を得、
ここで樹脂組成物におけるビニルエーテル基の含有量は、樹脂組成物の合
計重量（添加剤、フィラーなどの重量を除く）に対するＨＶＥ−化合物の
重量百分率として計算されて、０．５〜５０重量％である、
Ｂ．  前記樹脂を１以上の反応性モノマーに溶解し、
Ｃ．  そして必要とされてもよい任意的フィラー及び／又は添加剤を添加する、
ただし、そのようにして得られた、場合により不飽和であってもよいプレポリマ
ーの合計酸価が（ＩＳＯ−２１１４により測定されて）１０ｍｇＫＯＨ／ｇより
小さい、
ことを特徴とする、製造方法。
【手続補正１０】
【補正対象書類名】明細書
【補正対象項目名】請求項１１
【補正方法】変更
【補正の内容】
【請求項１１】
成形された部品又は構造材料の製造のために、請求項９又は１０のいずれか１項に従って製造された、硬化可能な樹脂組成物を使用する方法。
【手続補正１１】
【補正対象書類名】明細書
【補正対象項目名】請求項１２
【補正方法】変更
【補正の内容】
【請求項１２】
フローリング、ルーフィング、ロックボルト、又はケミカルアンカーにおいて、請求項９又は１０に従って製造された硬化可能な樹脂組成物を使用する方法。
【手続補正１２】
【補正対象書類名】明細書
【補正対象項目名】００２６
【補正方法】変更
【補正の内容】
【００２６】
適切な促進剤は、例えば、３級アミン及び／又は金属塩、それは―もし多少なりとも添加されるならば―比較的少量、好適には０．０１〜２重量％の量において樹脂組成物に添加されることができる。適切な金属塩は例えば、オクタン酸コバルト、ナフテン酸コバルト、及びカルボン酸バナジウム、カリウム、カルシウム、銅、マンガン、又はジルコニウムである。適切なアミンは、例えば、アニリン誘導体及びN，N−ビスアルキルアリールアミン、例えばN，N−ジメチルアニリン、N，N−ジエチルアニリン、N，N−ジメチルパラトルイジン、N，N−ビス（ヒドロキシアルキル）アリールアミン、N，N−ビス（β―ヒドロキシエチル）アニリン、N，N−ビス（β-ヒドロキシエチル）トルイジン、N，N−ビス（β-ヒドロキシプロピル）アニリン及びN，N−ビス（β-ヒドロキシルプロピル）トルイジンである。適切でもある促進剤はポリマーアミン、例えばN，N−ビス（β-ヒドロキシエチル）アニリンとジカルボン酸との重縮合において得られるポリマーアミンである。